(57)【特許請求の範囲】
【請求項１】
粘着基剤に忌避成分を混合させて粘性組成物とした忌避剤を忌避対象場所に設置させることで鳥類を忌避させるようにした鳥類忌避方法であって、
人の手や衣服が触れ易い手摺部材が近傍に存在する場所であって、マンションや集合住宅や戸建て住宅や建築物のべランダやテラスや階段や屋上や共用場所を忌避対象場所とし、その忌避対象場所のフロア面に塊状に盛り付け付着した忌避剤を所定の間隔で複数配置させると共に、前記手摺部材の上面にコイル体をその長さ方向が手摺部材の長手方向になるように取り付けて、このコイル体と前記忌避剤との両方で鳥類を忌避させるようにしたことを特徴とする鳥類忌避方法。
【発明の詳細な説明】
【技術分野】
【０００１】
本発明は、マンションや戸建て住宅、その他の建築物等に鳥類、特にハトが飛来したり営巣したりするのを、忌避剤を用いて防止するようにした鳥類忌避方法に関する。
【背景技術】
【０００２】
従来、鳥類、特にハトの飛来や営巣を忌避するための忌避剤として、粘着基剤に忌避成分を混合させて粘性組成物としたものが知られている（特許文献１参照）。
【０００３】
この忌避剤は、粘着基剤を用いて粘状体（ゲル状、ジェル状、クリーム状、ゼリー状、軟膏状を含む）にしたもので、付着性に優れている。
又、粘性による触覚刺激、辛味による味覚刺激や痛覚刺激、香気による嗅覚刺激等による複合的な刺激によって忌避効果を有し、かつ天然忌避成分を用いることで人体に無害であるといった優れた効果を有するものである。
【０００４】
前記忌避剤を忌避対象場所に付着する場合、忌避剤を収容袋やコーキングガンに収容し、これから絞り出して使用しているが、従来では、忌避剤を線状に絞り出して直線状あるいは蛇行状に付着させていた。
このように忌避剤を直線状あるいは蛇行状に付着させると、その使用量が多くなってコスト的に不利になるし、また、空気に触れる面が多くなるため、乾燥し易く、割れが生じたり固化したりして忌避効果が劣化し易くなってしまうという問題があった。
【０００５】
また、マンション等の集合住宅のベランダや戸建て住宅のテラス等は、ハトの飛来場所や営巣場所として恰好な場所である。
このような場所には、人の手や衣服が触れ易い手摺部材が設けられており、ベランダやテラス等のフロア面に加えて、この手摺部材の上面にも忌避材を付着させる必要が生じる。
【０００６】
しかしながら、このような手摺部材の上面に忌避材を付着させると、この手摺部材は、もともと人が手で触れる場所であるため、ついつい忌避材を手で触れてしまうことがあり、手を汚したり、衣服を汚したり、忌避材の付着が剥がれて落下したりするという問題がある。
【特許文献１】特開２００５−４７８６５号公報
【発明の開示】
【発明が解決しようとする課題】
【０００７】
本発明は、上記のような問題を解決するためになされたもので、忌避剤を直線状あるいは蛇行状に付着させる場合に比べて、その使用量を少なくしてコストを低減させると共に、乾燥による割れや固化を抑制させることで長期に亘って忌避効果を維持させることができ、さらに、人の手や衣服が触れ易い手摺部材については忌避剤の使用を止め、他の忌避手段で確実な忌避効果を得ることができる鳥類忌避方法を提供することを課題としている。
【課題を解決するための手段】
【０００８】
上記の課題を解決するために、本発明の鳥類忌避方法は、
粘着基剤に忌避成分を混合させて粘性組成物とした忌避剤を忌避対象場所に設置させることで鳥類を忌避させるようにした鳥類忌避方法であって、
人の手や衣服が触れ易い手摺部材が近傍に存在する場所であって、マンションや集合住宅や戸建て住宅や建築物のべランダやテラスや階段や屋上や共用場所を忌避対象場所とし、その忌避対象場所のフロア面に塊状に盛り付け付着した忌避剤を所定の間隔で複数配置させると共に、前記手摺部材の上面にコイル体をその長さ方向が手摺部材の長手方向になるように取り付けて、このコイル体と前記忌避剤との両方で鳥類を忌避させる構成とした。
【０００９】
なお、この鳥類忌避方法において、忌避剤は、忌避対象場所に直接に付着させてもよいし、人工芝の上に置いてもよく、トレー等のプレート部材の上面に塊状に盛り付け付着させて設置してもよい。
【発明の効果】
【００１０】
本発明では、塊状に盛り付け付着した複数の忌避剤を所定の間隔で配置したので、忌避剤を直線状あるいは蛇行状に付着させた従来の忌避方法に比べて、その使用量が少なくなりコストを低減させることができるし、乾燥による割れや固化が抑制されるため長期に亘って忌避効果を維持させることができる。
【００１１】
また、人の手や衣服が触れ易い手摺部材が近傍に存在する場所を忌避対象場所とした場合に、手摺部材については忌避剤の代わりにコイル体を取り付けたので、手摺部材に忌避剤を付着させた場合の問題点である手や衣服の汚損や忌避材の剥がれによる落下を防止できる。
特に、コイル体は、そのピッチ間隙にハトの足が入り込んだり、コイル体の円形外周によって足を滑らせたり、コイル体の揺動を嫌ったりするため、確実な忌避効果を得ることができる。
このように、忌避剤とコイル体との組み合わせによってハト等の鳥類を確実に忌避することができる。
【発明を実施するための最良の形態】
【００１２】
図１は本発明の鳥類忌避方法をベランダに適用した場合の説明図、図２は塊状に盛り付け付着させた忌避剤を示す正面図、図３はコイル体の取り付け状態を示す正面図である。
【００１３】
本実施例の鳥類忌避方法で使用した忌避剤１は、粘着基剤に忌避成分を混合させて粘性組成物としたもので、粘性による触覚刺激、辛味（例えば、カプサイシン）による味覚刺激や痛覚刺激、香気（例えば、ミント）による嗅覚刺激等による複合的な刺激によって忌避効果を有し、かつ植物由来の天然忌避成分を用いて人体に無害である、有限会社あんじん製の植物性忌避剤：（商標）Ｂ−ＳＴを用いた。
なお、忌避剤１に着色を施すことは任意であり、例えば、美観を与えるためにエメラルドブルーや淡いブルーのような淡い色に着色するのが好ましい。
【００１４】
又、マンションのベランダＢを忌避対象場所とし、このベランダＢには、そのフロア面９０にエアコンの室外機８が設置され、また、フェンス９１の上面に人の手や衣服が触れ易い手摺部材９１ａ（笠木）が設けられている。
【００１５】
施工に際しては、エアコンの室外機８の近くにおけるフロア面９０に、塊状に盛り付け付着した複数の忌避剤１を所定の間隔で配置させると共に、前記手摺部材９１ａの上面にコイル体３を取り付けて、このコイル体３と前記忌避剤１との両方で鳥類を忌避させるようにしている。
【００１６】
この場合、前記忌避剤１は、図２に示すように、直径５ｃｍ程度のプラスチック製で、周縁に１〜５ｍｍ程度の周壁１５ａが立設されたトレー１５に塊状に盛り付け付着されている。
【００１７】
なお、忌避剤１は忌避対象場所であるフロア面９０に直接に付着させてもよいし、前記したようにトレー１５等に塊状に盛り付け付着させて設置してもよい。
又、人工芝の上に置いてもよく、このようにすると、風で飛ばされるのを防止できる点で好ましい。
忌避剤１の塊状サイズは、直径３〜６ｃｍ、厚み０．５〜１ｃｍ程度が好ましく、また、忌避剤１と忌避剤１との配設間隔は、２０〜３０ｃｍ程度が好ましい。
【００１８】
このように、塊状に盛り付け付着した複数の忌避剤１を所定の間隔で配置したので、忌避剤の使用量を少なくすることができるし、乾燥による割れや固化が抑制することができる。
【００１９】
又、前記コイル体３は、直径１〜２ｍｍ程度の線材を直径４〜８ｃｍ程度のコイルに巻き形成したもので、図３に示すように、その長さ方向が手摺部材９１ａの長手方向になるようにして取り付けられている。
この場合、手摺部材にＬ型金具をロックタイによる締結やボンドによる接着等で固定させ、このＬ型金具３５にコイル体３の両端に形成したフック３ａを引っ掛け、ピッチ間隙３ｂを生じさせる伸延状態で取り付けている。
【００２０】
このように、手摺部材９１ａについては忌避剤１の代わりにコイル体３を取り付けたので、手や衣服が忌避剤によって汚損したり忌避材が剥がれて落下したりするのを防止することができる。
そして、このコイル体３の忌避作用としては、コイル体３のピッチ間隙３ｂにハトの足が入り込んだり、コイル体３の円形外周によって足を滑らせたり、コイル体３の揺動を嫌ったりするもので、構造及び設置が簡単な忌避用具でありながら確実な忌避効果を得ることができる。
【００２１】
なお、本発明において、忌避対象場所である、人の手や衣服が触れ易い手摺部材が近傍に存在する場所の例としてベランダを示したが、このほか、階段や屋上等など、集合住宅の共用場所等を忌避対象場所とすることができる。
【図面の簡単な説明】
【００２２】
【図１】本発明の鳥類忌避方法をベランダに適用した場合の説明図である。
【図２】塊状に盛り付け付着させた忌避剤を示す正面図である。
【図３】コイル体の取り付け状態を示す正面図である。
【符号の説明】
【００２３】
１  忌避剤
１５  トレー
１５ａ  周壁
３  コイル体
３ａ  フック
３ｂ  ピッチ間隙
３５  Ｌ型金具
８  室外機
９０  フロア面
９１  フェンス
９１ａ  手摺部材
Ｂ  ベランダ
【図１】
0004741951.tif 000002
【図２】
0004741951.tif 000003
【図３】
0004741951.tif 000004